(57)【特許請求の範囲】
【請求項１】
携帯型電子機器であって、
タッチパネル機能を有する表示部と、
前記携帯型電子機器に対する操作を検出する操作検出部と
を備え、
前記表示部は、
前記操作検出部が前記携帯型電子機器に対する第１操作を検出すると、
前記表示部の表示画面に表示されているウェブページに含まれる複数のリンクを集めて当該表示画面に表示するリンク集合表示を行い、
前記表示部は、
前記リンク集合表示を行った際のウェブページの替わりに他のウェブページを前記表示画面に表示する際には、当該他のウェブページとともに、前記リンク集合表示を行った際のウェブページを示すリンクと、前記リンク集合表示を行った際のウェブページに含まれるリンクとを前記表示画面に表示する、携帯型電子機器。
【請求項２】
請求項１に記載の携帯型電子機器であって、
前記第１操作は、前記携帯型電子機器が振られる操作である、携帯型電子機器。
【請求項３】
請求項２に記載の携帯型電子機器であって、
前記表示部は、前記表示画面に表示されているウェブページに含まれる複数のリンクを集めて前記表示画面に表示する際に、当該複数のリンクを前記表示画面の端に寄せて表示する、携帯型電子機器。
【請求項４】
請求項３に記載の携帯型電子機器であって、
前記表示部は、前記表示画面に表示されているウェブページに含まれる複数のリンクを集めて前記表示画面に表示する際に、当該複数のリンクを前記表示画面の左右方向の一方端に寄せて表示する、携帯型電子機器。
【請求項５】
請求項４に記載の携帯型電子機器であって、
前記第１操作は、前記携帯型電子機器が、前記表示画面の前記左右方向の前記一方端側に傾けられた状態で振られる操作である、携帯型電子機器。
【請求項６】
請求項５に記載の携帯型電子機器であって、
前記表示部は、
前記操作検出部が前記携帯型電子機器に対する第２操作を検出すると、
前記表示画面に表示されているウェブページに含まれる複数のリンクを集めて、前記表示画面の前記左右方向の他方端に寄せて表示し、
前記第２操作は、前記携帯型電子機器が、前記表示画面の前記左右方向の前記他方端側に傾けられた状態で振られる操作である、携帯型電子機器。
【請求項７】
請求項２に記載の携帯型電子機器であって、
前記第１操作は、前記携帯型電子機器が一方向に強く振られる操作であって、
前記表示部は、前記携帯型電子機器が前記一方向とは逆方向に強く振られる操作を前記操作検出部が検出すると、前記リンク集合表示を解除する、携帯型電子機器。
【請求項８】
請求項２に記載の携帯型電子機器であって、
前記第１操作は、前記表示画面が押下されながら前記携帯型電子機器が振られる操作であって、
前記表示部は、前記表示画面に表示されているウェブページに含まれる複数のリンクを、前記表示画面において押下されている箇所に集めて表示する、携帯型電子機器。
【請求項９】
請求項１に記載の携帯型電子機器であって、
前記第１操作は、前記表示画面に対して指が接触した状態で移動する操作であって、
前記表示部は、前記表示画面に表示されているウェブページに含まれる複数のリンクを、前記表示画面において指の移動が終了した箇所に集めて表示する、携帯型電子機器。
【請求項１０】
請求項１に記載の携帯型電子機器であって、
前記第１操作は、前記表示画面が所定時間以上押下される操作であって、
前記表示部は、前記表示画面に表示されているウェブページに含まれる複数のリンクを、前記表示画面において押下されている箇所に集めて表示する、携帯型電子機器。
【請求項１１】
請求項１乃至請求項１０のいずれか一つに記載の携帯型電子機器であって、
前記表示部は、
前記表示画面に表示されているウェブページに含まれる複数のリンクが集められて表示されている表示領域から当該表示領域の外側に、前記表示画面に対して指が接触した状態で移動する第３操作を前記操作検出部が検出すると、
前記リンク集合表示を解除する、携帯型電子機器。
【請求項１２】
請求項１乃至請求項１１のいずれか一つに記載の携帯型電子機器であって、
前記表示部は、
前記表示画面に表示されているウェブページに含まれる複数のリンクが集められて表示されている表示領域に対する第４操作を前記操作検出部が検出すると、
当該ウェブページの表示をスクロールする、携帯型電子機器。
【請求項１３】
請求項１２に記載の携帯型電子機器であって、
前記表示部は、前記操作検出部が前記第４操作を検出すると、前記リンク集合表示を解除する、携帯型電子機器。
【請求項１４】
請求項１に記載の携帯型電子機器であって、
前記表示部は、
前記他のウェブページとともに、前記リンク集合表示を行った際のウェブページを示すリンクと、前記リンク集合表示を行った際のウェブページに含まれるリンクとが前記表示画面に表示されている際に、前記携帯型電子機器に対する第５操作を前記操作検出部が検出すると、
前記リンク集合表示を行った際のウェブページを示すリンクと、前記リンク集合表示を行った際のウェブページに含まれるリンクとを前記表示画面から消す、携帯型電子機器。
【請求項１５】
請求項１４に記載の携帯型電子機器であって、
前記第５操作は、前記第１操作であって、
前記表示部は、
前記他のウェブページとともに、前記リンク集合表示を行った際のウェブページを示すリンクと、前記リンク集合表示を行った際のウェブページに含まれるリンクとが前記表示画面に表示されている際に前記第５操作を前記操作検出部が検出すると、
前記リンク集合表示を行った際のウェブページを示すリンクと、前記リンク集合表示を行った際のウェブページに含まれるリンクとを前記表示画面から消すとともに、前記他のウェブページに含まれる複数のリンクを集めて前記表示画面に表示する、携帯型電子機器。
【請求項１６】
タッチパネル機能を有する表示部を備える携帯型電子機器の表示制御方法であって、
（ａ）前記表示部の表示画面に複数のリンクを含むウェブページを表示する工程と、
（ｂ）前記表示画面に前記ウェブページが表示されている際に、前記携帯型電子機器に対する所定の操作を検出する工程と、
（ｃ）前記工程（ｂ）の後に、前記ウェブページに含まれる複数のリンクを集めて前記表示画面に表示するリンク集合表示を行う工程と、
（ｄ）前記工程（ｃ）において前記リンク集合表示が行われた際のウェブページの替わりに他のウェブページが前記表示画面に表示される際に、当該他のウェブページとともに、前記リンク集合表示が行われた際のウェブページを示すリンクと、前記リンク集合表示が行われた際のウェブページに含まれるリンクとを前記表示画面に表示する工程と
を備える、携帯型電子機器の表示制御方法。
【発明の詳細な説明】
【技術分野】
【０００１】
本発明は、タッチパネル機能を有する表示部を備える携帯型電子機器での表示技術に関する。
【背景技術】
【０００２】
従来から、携帯電話機やＰＤＡ（Personal Digital Assistant）などの携帯型電子機器に関して様々な技術が提案されている。例えば、特許文献１には、片手で操作することが可能な入力デバイスを使用して、携帯型電子機器の表示を制御する技術が記載されている。
【先行技術文献】
【特許文献】
【０００３】
【特許文献１】特開２００２−９１６４８号公報
【発明の概要】
【発明が解決しようとする課題】
【０００４】
さて、タッチパネル機能を有する表示部を備える携帯型電子機器において、リンクを含むウェブページを表示する場合には、ユーザは、表示画面におけるリンクの表示位置を触れることによって、当該リンクを選択することになる。各ウェブページにおいては、独自の位置にリンクが示され、リンクが示される位置が異なっていることから、各ウェブページにおいて、どの部分がリンクとなっているのか特定しにくいことがある。よって、ユーザは、表示画面に触れてリンクを選択する際にリンクを選択しにくいことがある。このような問題は、近年の携帯型電子機器の大画面化にともない顕著になってきている。表示画面が大きくなると、広範囲にわたってリンクが示されるようになることから、各ウェブページにおいて、どの部分がリンクとなっているのかさらに特定しにくくなり、ユーザはさらにリンクを選択しにくくなる。
【０００５】
そこで、本発明は上述の点に鑑みて成されたものであり、タッチパネル機能を有する表示部を備える携帯型電子機器において、ウェブページに含まれるリンクを簡単に選択することが可能な技術を提供することを目的とする。
【課題を解決するための手段】
【０００６】
上記課題を解決するため、本発明に係る携帯型電子機器は、タッチパネル機能を有する表示部と、前記携帯型電子機器に対する操作を検出する操作検出部とを備え、前記表示部は、前記操作検出部が前記携帯型電子機器に対する第１操作を検出すると、前記表示部の表示画面に表示されているウェブページに含まれる複数のリンクを集めて当該表示画面に表示するリンク集合表示を行い、前記表示部は、前記リンク集合表示を行った際のウェブページの替わりに他のウェブページを前記表示画面に表示する際には、当該他のウェブページとともに、前記リンク集合表示を行った際のウェブページを示すリンクと、前記リンク集合表示を行った際のウェブページに含まれるリンクとを前記表示画面に表示する。
【０００７】
また、本発明に係る携帯型電子機器の一態様では、前記第１操作は、前記携帯型電子機器が振られる操作である。
【０００８】
また、本発明に係る携帯型電子機器の一態様では、前記表示部は、前記表示画面に表示されているウェブページに含まれる複数のリンクを集めて前記表示画面に表示する際に、当該複数のリンクを前記表示画面の端に寄せて表示する。
【０００９】
また、本発明に係る携帯型電子機器の一態様では、前記表示部は、前記表示画面に表示されているウェブページに含まれる複数のリンクを集めて前記表示画面に表示する際に、当該複数のリンクを前記表示画面の左右方向の一方端に寄せて表示する。
【００１０】
また、本発明に係る携帯型電子機器の一態様では、前記第１操作は、前記携帯型電子機器が、前記表示画面の前記左右方向の前記一方端側に傾けられた状態で振られる操作である。
【００１１】
また、本発明に係る携帯型電子機器の一態様では、前記表示部は、前記操作検出部が前記携帯型電子機器に対する第２操作を検出すると、 前記表示画面に表示されているウェブページに含まれる複数のリンクを集めて、前記表示画面の前記左右方向の他方端に寄せて表示し、前記第２操作は、前記携帯型電子機器が、前記表示画面の前記左右方向の前記他方端側に傾けられた状態で振られる操作である。
【００１２】
また、本発明に係る携帯型電子機器の一態様では、前記第１操作は、前記携帯型電子機器が一方向に強く振られる操作であって、前記表示部は、前記携帯型電子機器が前記一方向とは逆方向に強く振られる操作を前記操作検出部が検出すると、前記リンク集合表示を解除する。
【００１３】
また、本発明に係る携帯型電子機器の一態様では、前記第１操作は、前記表示画面が押下されながら前記携帯型電子機器が振られる操作であって、前記表示部は、前記表示画面に表示されているウェブページに含まれる複数のリンクを、前記表示画面において押下されている箇所に集めて表示する。
【００１４】
また、本発明に係る携帯型電子機器の一態様では、前記第１操作は、前記表示画面に対して指が接触した状態で移動する操作であって、前記表示部は、前記表示画面に表示されているウェブページに含まれる複数のリンクを、前記表示画面において指の移動が終了した箇所に集めて表示する。
【００１５】
また、本発明に係る携帯型電子機器の一態様では、前記第１操作は、前記表示画面が所定時間以上押下される操作であって、前記表示部は、前記表示画面に表示されているウェブページに含まれる複数のリンクを、前記表示画面において押下されている箇所に集めて表示する。
【００１６】
また、本発明に係る携帯型電子機器の一態様では、前記表示部は、前記表示画面に表示されているウェブページに含まれる複数のリンクが集められて表示されている表示領域から当該表示領域の外側に、前記表示画面に対して指が接触した状態で移動する第３操作を前記操作検出部が検出すると、前記リンク集合表示を解除する。
【００１７】
また、本発明に係る携帯型電子機器の一態様では、前記表示部は、前記表示画面に表示されているウェブページに含まれる複数のリンクが集められて表示されている表示領域に対する第４操作を前記操作検出部が検出すると、当該ウェブページの表示をスクロールする。
【００１８】
また、本発明に係る携帯型電子機器の一態様では、前記表示部は、前記操作検出部が前記第４操作を検出すると、前記リンク集合表示を解除する。
【００２１】
また、本発明に係る携帯型電子機器の一態様では、前記表示部は、前記他のウェブページとともに、前記リンク集合表示を行った際のウェブページを示すリンクと、前記リンク集合表示を行った際のウェブページに含まれるリンクとが前記表示画面に表示されている際に、前記携帯型電子機器に対する第５操作を前記操作検出部が検出すると、前記リンク集合表示を行った際のウェブページを示すリンクと、前記リンク集合表示を行った際のウェブページに含まれるリンクとを前記表示画面から消す。
【００２２】
また、本発明に係る携帯型電子機器の一態様では、前記第５操作は、前記第１操作であって、前記表示部は、前記他のウェブページとともに、前記リンク集合表示を行った際のウェブページを示すリンクと、前記リンク集合表示を行った際のウェブページに含まれるリンクとが前記表示画面に表示されている際に前記第５操作を前記操作検出部が検出すると、前記リンク集合表示を行った際のウェブページを示すリンクと、前記リンク集合表示を行った際のウェブページに含まれるリンクとを前記表示画面から消すとともに、前記他のウェブページに含まれる複数のリンクを集めて前記表示画面に表示する。
【００２６】
また、本発明に係る携帯型電子機器の表示制御方法は、タッチパネル機能を有する表示部を備える携帯型電子機器の表示制御方法であって、（ａ）前記表示部の表示画面に複数のリンクを含むウェブページを表示する工程と、（ｂ）前記表示画面に前記ウェブページが表示されている際に、前記携帯型電子機器に対する所定の操作を検出する工程と、（ｃ）前記工程（ｂ）の後に、前記ウェブページに含まれる複数のリンクを集めて前記表示画面に表示するリンク集合表示を行う工程と、（ｄ）前記工程（ｃ）において前記リンク集合表示が行われた際のウェブページの替わりに他のウェブページが前記表示画面に表示される際に、当該他のウェブページとともに、前記リンク集合表示が行われた際のウェブページを示すリンクと、前記リンク集合表示が行われた際のウェブページに含まれるリンクとを前記表示画面に表示する工程とを備える。
【発明の効果】
【００２７】
本発明によれば、ウェブページに含まれるリンクを簡単に選択することができる。
【図面の簡単な説明】
【００２８】
【図１】実施の形態に係る携帯型電子機器の外観を示す斜視図である。
【図２】実施の形態に係る携帯型電子機器の電気的構成を示す図である。
【図３】実施の形態に係る制御部の構成を示す図である。
【図４】実施の形態に係る携帯型電子機器の表示例を示す図である。
【図５】実施の形態に係る携帯型電子機器の表示例を示す図である。
【図６】実施の形態に係る携帯型電子機器の動作を示すフローチャートである。
【図７】実施の形態に係る携帯型電子機器の表示例を示す図である。
【図８】実施の形態に係る携帯型電子機器をユーザが右手で持っている様子を示す図である。
【図９】実施の形態に係る携帯型電子機器をユーザが右手で持っている様子を示す図である。
【図１０】実施の形態に係る携帯型電子機器の表示例を示す図である。
【図１１】実施の形態に係る携帯型電子機器の表示例を示す図である。
【図１２】実施の形態に係る携帯型電子機器の表示例を示す図である。
【図１３】実施の形態の変形例に係る携帯型電子機器の表示例を示す図である。
【図１４】実施の形態の変形例に係る携帯型電子機器の表示例を示す図である。
【図１５】実施の形態の変形例に係る携帯型電子機器の表示例を示す図である。
【図１６】実施の形態の変形例に係る携帯型電子機器の表示例を示す図である。
【図１７】実施の形態の変形例に係る携帯型電子機器の表示例を示す図である。
【図１８】実施の形態の変形例に係る携帯型電子機器の表示例を示す図である。
【図１９】実施の形態の変形例に係る携帯型電子機器の表示例を示す図である。
【図２０】実施の形態の変形例に係る携帯型電子機器の表示例を示す図である。
【図２１】実施の形態の変形例に係る携帯型電子機器の表示例を示す図である。
【図２２】実施の形態の変形例に係る携帯型電子機器の表示画面が指で操作される様子を示す図である。
【図２３】実施の形態の変形例に係る携帯型電子機器の表示画面が指で操作される様子を示す図である。
【図２４】実施の形態の変形例に係る携帯型電子機器の表示例を示す図である。
【図２５】実施の形態の変形例に係る携帯型電子機器の表示例を示す図である。
【図２６】実施の形態の変形例に係る携帯型電子機器の表示画面が指で操作される様子を示す図である。
【図２７】実施の形態の変形例に係る携帯型電子機器の表示例を示す図である。
【図２８】実施の形態の変形例に係る携帯型電子機器の表示例を示す図である。
【図２９】実施の形態の変形例に係る携帯型電子機器の表示例を示す図である。
【図３０】実施の形態の変形例に係る携帯型電子機器の表示例を示す図である。
【図３１】実施の形態の変形例に係る携帯型電子機器の表示例を示す図である。
【図３２】実施の形態の変形例に係る携帯型電子機器の表示例を示す図である。
【図３３】実施の形態の変形例に係る携帯型電子機器の表示例を示す図である。
【図３４】実施の形態の変形例に係る携帯型電子機器の表示例を示す図である。
【発明を実施するための形態】
【００２９】
＜携帯型電子機器の外観＞
図１は本実施の形態に係る携帯型電子機器１００の外観を示す斜視図である。本実施の形態に係る携帯型電子機器１００は、例えば携帯電話機である。以後、携帯型電子機器１００を単に「電子機器１００」と呼ぶ。
【００３０】
図１に示されるように、電子機器１００は、平面視で略長方形の板状を成す筐体１を備えている。筐体１にはタッチパネル機能を有する表示部１０が収められている。表示部１０の長方形の表示画面１０ａは、筐体１の一方の主面１ａから露出している。ユーザは、この表示画面１０ａを指で操作することによって、電子機器１００に対して各種指示を与えることができる。
【００３１】
筐体１には、表示部１０以外にも、音声出力部２０及び音声入力部２１が収められている。音声出力部２０はスピーカを有しており、音声入力部２１はマイクを有している。音声出力部２０のスピーカは、筐体１の一方の主面１ａにおける上端部から露出しており、音声入力部２１のマイクは、筐体１の一方の主面１ａにおける下端部から露出している。
【００３２】
＜携帯型電子機器の電気的構成＞
図２は本実施の形態に係る電子機器１００の電気的構成を示すブロック図である。図２に示されるように、電子機器１００は、制御部３０と、無線通信部３１と、加速度センサ３２と、上述の表示部１０、音声出力部２０及び音声入力部２１を備えている。制御部３０、無線通信部３１及び加速度センサ３２は、筐体１内に収められている。
【００３３】
制御部３０は、ＣＰＵ３０ａ及び記憶部３０ｂ等を備えており、電子機器１００の他の構成要素を制御することによって、電子機器１００の動作を統括的に管理する。記憶部３０ｂは、ＲＯＭ及びＲＡＭ等で構成されている。制御部３０の各種機能は、ＣＰＵ３０ａが記憶部３０ｂ内の各種プログラムを実行することによって実現される。
【００３４】
無線通信部３１は、電子機器１００とは別の携帯電話機や、インターネットに接続されたウェブサーバ等の通信装置からの信号をアンテナ３１ａで受信する。無線通信部３１は、受信信号に対して増幅処理やダウンコンバートを行って制御部３０に出力する。また無線通信部３１は、制御部３０で生成された送信信号に対してアップコンバートや増幅処理を行って、処理後の送信信号をアンテナ３１ａを通じて、電子機器１００とは別の携帯電話機や、インターネットに接続された通信装置に対して無線送信する。
【００３５】
加速度センサ３２は、例えば、３軸加速度センサであって、互いに直交する３つの検出軸のそれぞれについて、当該検出軸に沿った方向の加速度を検出して出力する。
【００３６】
音声出力部２０は、制御部３０からの音声データを音声に変換して外部に出力する。音声入力部２１は、外部から入力される音声を音声データに変換して制御部３０に出力する。
【００３７】
表示部１０は、制御部３０によって制御されることによって、文字、記号、図形などの各種情報を表示画面１０ａに表示する。また、タッチパネル機能を有する表示部１０は、表示画面１０ａに対するユーザの指の操作に応じた操作信号を制御部３０に出力する。表示部１０は、例えば、透過型の液晶ディスプレイパネルと当該液晶ディスプレイパネルに対して後方から光を照射するバックライト光源とを備えている。なお、表示部１０を、液晶ディスプレイパネル以外の非自発光型ディスプレイで構成しても良いし、有機ＥＬパネルなどの自発光型ディスプレイパネルで構成しても良い。ユーザは、表示部１０の表示画面１０ａに対して操作を行うことによって、様々な情報を電子機器１００に入力することが可能となっている。
【００３８】
図３は、制御部３０のＣＰＵ３０ａが、記憶部３０ｂ内の各種プログラムを実行することによって、制御部３０内に形成される複数の機能ブロックを示す図である。図３に示されるように、制御部３０は、機能ブロックとして、表示制御部１３０、画面操作特定部１３１、筐体操作特定部１３２及び通信制御部１３３を備えている。本実施の形態では、表示部１０、画面操作特定部１３１、加速度センサ３２及び筐体操作特定部１３２によって、電子機器１００に対する操作を検出する操作検出部１４０が構成されている。表示部１０及び画面操作特定部１３１は、表示画面１０ａに対する操作を検出するとともに、その操作の内容を特定する。加速度センサ３２及び筐体操作特定部１３２は、筐体１に対する操作を検出するとともに、その操作の内容を特定する。
【００３９】
表示制御部１３０は、表示部１０の表示を制御する。表示部１０は、表示制御部１３０による制御によって、表示画面１０ａに文字等の情報を表示する。
【００４０】
画面操作特定部１３１は、表示部１０が出力する操作信号に基づいて、表示画面１０ａに対する操作の内容を特定する。例えば、画面操作特定部１３１は、表示画面１０ａに対して行われた操作が、表示画面１０ａのある部分を指で押す操作であることを特定したり、表示画面１０ａに対して指が接触した状態である部分から別の部分まで移動する操作であることを特定したりする。表示制御部１３０は、画面操作特定部１３１で特定された操作の内容に基づいて表示部１０の表示を制御する。
【００４１】
筐体操作特定部１３２は、加速度センサ３２からの出力信号に基づいて、電子機器１００の筐体１に対する操作の内容を特定する。例えば、筐体操作特定部１３２は、加速度センサ３２からの出力信号に基づいて、電子機器１００がユーザによって振られているのか、つまり筐体１がユーザによって振られているのか、また電子機器１００が基本姿勢から傾いているのか、つまり筐体１が傾いているのか等を特定する。表示制御部１３０は、筐体操作特定部１３２で特定された操作の内容に基づいて表示部１０の表示を制御する。
【００４２】
通信制御部１３３は、無線通信部３１を制御して、通信相手先と様々な通信を行う。例えば、通信制御部１３３は、通信相手の携帯電話機と、音声通信や電子メール通信を行う。音声通信を行う際には、通信制御部１３３は、音声入力部２１から入力される音声データを含む送信信号を生成し、当該送信信号を無線通信部３１を通じて通信相手の携帯電話機に対して送信する。また、通信制御部１３３は、無線通信部３１が受信した信号から音声データを取得して、当該音声データを音声出力部２０に出力する。
【００４３】
また、記憶部３０ｂ内のウェブブラウザをＣＰＵ３０ａが実行すると、通信制御部１３３はウェブサーバとデータ通信を行う。通信制御部１３３がウェブサーバから無線通信部３１を通じて受信したウェブページは、表示制御部１３０の表示部１０に対する制御により、表示画面１０ａに表示される。図４は、表示画面１０ａに表示されるウェブページ２００の一例を示す図である。なお、ウェブブラウザは、パーソナルコンピュータ向けに設計されたウェブサイトであるＰＣサイトを閲覧するためのソフトウェアであっても良いし、携帯電話機等の携帯型電子機器用に設計されたウェブサイトであるモバイルサイトを閲覧するためのソフトウェアであっても良いし、ＰＣサイト及びモバイルサイトの両方を閲覧するためのソフトウェアであっても良い。
【００４４】
図４に示されるように、表示画面１０ａでは、ウェブページ２００が所定領域４５０に表示されるとともに、当該所定領域４５０よりも下方に位置する所定領域４５１に複数の操作ボタン３００〜３０２が表示される。以後、所定領域４５０を「ウェブ表示領域４５０」と呼ぶ。
【００４５】
操作ボタン３００は、メニュー画面を表示するための操作ボタンである。「進む」が示されている操作ボタン３０１は、過去に表示されたウェブページであって、現在表示されているウェブページよりも１つ後に表示されたウェブページを表示するための操作ボタンである。「戻る」が示されている操作ボタン３０２は、現在表示されているウェブページよりも１つ前に表示されたウェブページを表示するための操作ボタンである。ユーザは、各操作ボタン３００〜３０２をタップ（表示画面１０ａを指で触れてすぐに（所定時間内に）その場で指を離す操作）することによって選択することができる。
【００４６】
図４に示されるウェブページ２００には、複数のリンク２００ａが含まれている。ユーザは、表示画面１０ａにおける、リンク２００ａが表示されている領域（以後、「リンク表示領域」と呼ぶ）にタップすることによって、当該リンク２００ａを選択することができる。表示画面１０ａに対してリンク２００ａを選択する選択操作が行われたことが、操作検出部１４０で検出されると、通信制御部１３３は、無線通信部３１を通じて該当のウェブサーバと通信することによって、選択されたリンク２００ａが示すウェブページ２００を当該ウェブサーバから取得する。この取得されたウェブページ２００は、表示制御部１３０の制御により、表示部１０の表示画面１０ａに表示される。なお、図４の例では、ウェブページ２００中のリンク２００ａには下線が示されている。また、リンク２００ａは「ハイパーリンク」とも呼ばれている。
【００４７】
ここで、一般的に、各ウェブページ２００においては、独自の位置にリンク２００ａが示されることから、各ウェブページ２００において、リンク２００ａが示される位置は異なっている。したがって、各ウェブページ２００において、どの部分がリンクとなっているのか特定しにくいことがある。よって、ユーザは、表示画面１０ａに触れてウェブページ２００に含まれるリンク２００ａを選択しにくいことがある。特に表示画面１０ａが大きくなると、リンク２００ａが表示される範囲は広範囲になることから、各ウェブページ２００において、どの部分がリンク２００ａとなっているのかさらに特定しにくくなり、ユーザがリンク２００ａを選択しにくいという問題は顕著になる。
【００４８】
そこで、本実施の形態に係る電子機器１００では、操作検出部１４０が電子機器１００に対する所定の操作を検出すると、図５に示されるように、ウェブページ２００に含まれる複数のリンク２００ａを表示画面１０ａの所定領域４００に集めて表示する。このように、ウェブページ２００に含まれる複数のリンク２００ａが集められて表示されることから、ユーザは各リンク２００ａを選択し易くなる。
【００４９】
以後、ウェブページ２００に含まれる複数のリンク２００ａを集めて表示する動作を「リンク集合表示」と呼ぶ。また、図４に示されるような、リンク集合表示を行っていないウェブページ表示を「通常表示」と呼ぶ。また、リンク集合表示を行う契機となる、電子機器１００に対する所定の操作を「集合表示指示操作」と呼ぶ。また、所定領域４００に集められた複数のリンク２００ａを「集合リンク」と呼び、所定領域４００を「集合リンク表示領域４００」と呼ぶ。
【００５０】
図５の例では、集合リンクは、ウェブページ２００と重なるようにオーバーレイ表示されている。また図５の例では、集合リンクは、ウェブページ２００よりも表示濃度が低くなるように表示されている。ただし、ウェブページ２００のうち集合リンクと重なっている部分については、集合リンクから透けて見えるように表示されている。図５では、ウェブページ２００に示される文字等を太線で示し、集合リンクを細線で示すことによって、集合リンクがウェブページ２００よりも表示濃度が低くなるように表示されていることを表現している。
【００５１】
また図５の例では、集合リンク表示領域４００は、表示画面１０ａのウェブ表示領域４５０の下端部に設定されている。より具体的には、ウェブ表示領域４５０の下端部における右側（電子機器１００を表示画面１０ａ側から見た際の右側）の３分の２の領域が集合リンク表示領域４００となっている。したがって、集合リンクは、表示画面１０ａにおいてその右端に寄せられて表示される。
【００５２】
以下に、電子機器１００がリンク集合表示を行う際の当該電子機器１００の動作を詳細に説明する。
【００５３】
図６は電子機器１００におけるウェブページの表示動作を示すフローチャートである。図６に示されるように、ステップｓ１において、ＣＰＵ３０ａが記憶部３０ｂ内のウェブブラウザを実行すると、ステップｓ２において、通信制御部１３３が、無線通信部３１を通じて、ウェブブラウザ起動時にアクセスすべきウェブサーバからウェブページを受信する。次にステップｓ３において、表示部１０が、ステップｓ２で受信されたウェブページを表示画面１０ａに通常表示する。
【００５４】
次にステップｓ４において、操作検出部１４０が電子機器１００に対する集合表示指示操作を検出すると、表示部１０はステップｓ５においてリンク集合表示を行う。
【００５５】
本実施の形態に係る電子機器１００では、２種類の集合表示指示操作が定められている。第１の集合表示指示操作は、電子機器１００が右側（表示画面１０ａ側から見た際の右側）に傾けられた状態で下に向かって強く振られる操作である。第２の集合表示指示操作は、電子機器１００が左側（電子機器１００を表示画面１０ａ側から見た際の左側）に傾けられた状態で下に向かって強く振られる操作である。電子機器１００の傾き方向や、電子機器１００がどの方向に強く振られているかについては、３軸の加速度センサ３２の出力信号に基づいて筐体操作特定部１３２が特定することができる。
【００５６】
表示部１０は、操作検出部１４０において第１及び第２の集合表示指示操作のいずれか一方が検出されると、ウェブページ２００に含まれる複数のリンク２００ａを集めて表示画面１０ａに表示する。本実施の形態では、操作検出部１４０において第１の集合表示指示操作が検出されると、ウェブページ２００に含まれる複数のリンク２００ａは、上述の図５に示されるように、ウェブ表示領域４５０の下端部において右側に寄せられて表示される。一方で、操作検出部１４０において第２の集合表示指示操作が検出されると、ウェブページ２００に含まれる複数のリンク２００ａは、図７に示されるように、ウェブ表示領域４５０の下端部において左側に寄せられて表示される。この場合には、ウェブ表示領域４５０の下端部における左側の３分の２の領域が集合リンク表示領域４００となっている。
【００５７】
このように、本実施の形態では、電子機器１００が右側に傾けられた状態で下に向かって強く振られると、表示画面１０ａに表示されているウェブページ２００に含まれる複数のリンク２００ａは、表示画面１０ａにおいて右端に寄せられて表示される。したがって、図８に示されるように、電子機器１００を右手に持ったユーザが、表示画面１０ａを見ながら、電子機器１００を右側に傾けた状態で下に向かって強く振ると、図９に示されるように、ウェブページ２００に含まれる複数のリンク２００ａが、表示画面１０ａにおいて右端に寄せられて表示されるようになる。よって、ユーザは、電子機器１００を持っている右手の親指でリンク２００ａを選択し易くなる。
【００５８】
また、本実施の形態では、電子機器１００が左側に傾けられた状態で下に向かって強く振られると、表示画面１０ａに表示されているウェブページ２００に含まれる複数のリンク２００ａは、表示画面１０ａにおいて左端に寄せられて表示される。したがって、電子機器１００を左手に持ったユーザが、表示画面１０ａを見ながら、電子機器１００を左側に傾けた状態で下に向かって強く振ると、ウェブページ２００に含まれる複数のリンク２００ａが、表示画面１０ａにおいて左端に寄せられて表示されるようになる。よって、ユーザは、電子機器１００を持っている左手の親指でリンク２００ａを選択し易くなる。
【００５９】
さらに、本実施の形態では、ユーザは、集合リンク表示領域４００に対して所定の操作を行うことによって、表示画面１０ａでのウェブページ２００の表示をスクロールすることができる。表示部１０は、集合リンク表示領域４００に対する所定の操作を操作検出部１４０が検出すると、表示画面１０ａでのウェブページ２００の表示をスクロールする。例えば、操作検出部１４０において、集合リンク表示領域４００に対する上方向のフリック（所定以上の速さで指を払う操作）が検出されると、表示部１０は、ウェブページ２００の表示を上側にスクロールする。また、操作検出部１４０において、集合リンク表示領域４００に対する下方向のフリックが検出されると、表示部１０はウェブページ２００の表示を下側にスクロールする。
【００６０】
このように、ユーザは、複数のリンク２００ａが表示されている集合リンク表示領域４００に対して操作を行うことによって、ウェブページ２００の表示をスクロールすることができることから、表示画面１０ａに対して、リンク２００ａの選択操作とスクロールを指示する操作とを近い場所であるいは同じ場所で行うことができる。よって、表示画面１０ａに対する操作が容易となる。
【００６１】
なお、ユーザは、ウェブ表示領域４５０のうち、集合リンク表示領域４００以外の領域に対してフリックを行うことによっても、同様に表示画面１０ａでのウェブページ２００の表示をスクロールすることができる。
【００６２】
電子機器１００において、操作検出部１４０が、あるリンク２００ａを選択するための選択操作、つまり当該あるリンク２００ａについてのリンク表示領域がタップされたことを検出すると（ステップｓ６）、ステップｓ２において、選択されたリンク２００ａが示すウェブページが通信制御部１３３において該当ウェブサーバから受信される。そして、ステップｓ３において、表示部１０は、通信制御部１３３が受信したウェブページを表示画面１０ａに通常表示する。
【００６３】
ユーザは、ウェブページ２００が通常表示されている場合には、ウェブページ２００に含まれるリンク２００ａを選択する。これに対して、リンク集合表示が表示されている場合には、ユーザは、ウェブページ２００に示されているリンク２００ａを選択することも、集合リンク表示領域４００に示されているリンク２００ａを選択することもできる。ユーザは、集合リンク表示領域４００のリンク２００ａを選択する際には、ウェブページ２００に示されているリンク２００ａを選択する場合と同様に、選択するリンク２００ａについてのリンク表示領域をタップする。
【００６４】
電子機器１００において、操作検出部１４０が、表示画面１０ａに対する、ウェブページの閲覧の終了を指示する操作を検出すると（ステップｓ７）、ステップｓ８において、ＣＰＵ３０ａはウェブブラウザの実行を終了する。
【００６５】
なお、上記の例では、ウェブページ２００に含まれる複数のリンク２００ａを、ウェブ表示領域４５０の下端に寄せて表示したが、図１０に示されるように、ウェブ表示領域４５０の上端、つまり表示画面１０ａの上端に寄せて表示しても良い。また図１１に示されるように、ウェブページ２００に含まれる複数のリンク２００ａを、ウェブ表示領域４５０における上下方向の中央部に集めて表示しても良い。また上記の例では、ウェブページ２００に含まれる複数のリンク２００ａを、表示画面１０ａの右端あるいは左端に寄せて表示したが、図１２に示されるように、表示画面１０ａの左右方向の中央部に集めて表示しても良い。
【００６６】
また、ウェブページ２００が大きくて、一度に表示画面１０ａに表示できない場合には、当該ウェブページ２００のうち、表示画面１０ａに現在表示されている部分に含まれる複数のリンク２００ａだけを集めて表示しても良いし、当該複数のリンク２００ａと、表示画面１０ａに現在表示されていない部分に含まれるリンク２００ａとを集めて表示しても良い。前者の場合には、ウェブページ２００の表示がスクロールされると、表示画面１０ａに表示されるリンク２００ａが変化することから、表示画面１０ａに表示される集合リンクは変化することになる。
【００６７】
以上のように、本実施の形態では、ウェブページ２００に含まれる複数のリンク２００ａが集められて表示されることから、ユーザはウェブページ２００にどのようなリンク２００ａが含まれているのか特定し易くなる。よって、ユーザは、表示画面１０ａに接触して各リンク２００ａを選択し易くなる。
【００６８】
また、本実施の形態では、ユーザは電子機器１００を振るだけでリンク集合表示を行うことができるため、電子機器１００に対する簡単な操作でリンク集合表示を行うことができる。
【００６９】
また、図５，７，１０，１１等に示されるように、集合リンクを表示画面１０ａの端に寄せて表示することによって、電子機器１００を片手に持つユーザはその手でリンク２００ａを選択し易くなる。よって、リンク２００ａを選択する操作が容易となる。特に、集合リンクを表示画面１０ａの右端に寄せて表示する際には、電子機器１００を右手に持つユーザはその手でリンク２００ａを選択し易くなり、集合リンクを表示画面１０ａの左端に寄せて表示する際には、電子機器１００を左手に持つユーザはその手でリンク２００ａを選択し易くなる。
【００７０】
また、本実施の形態では、電子機器１００が右側あるいは左側に傾けられた状態で振られると、集合リンクが表示画面１０ａの右端あるいは左端に寄せられて表示されることから、ユーザがリンク集合表示を行う際に電子機器１００を傾ける方向と、集合リンクが表示画面１０ａに表示される位置とは対応付けられている。したがって、ユーザは、集合表示指示操作と、集合リンクが表示される位置との関係に違和感を覚えることなく、本電子機器１００を使用することができる。よって、ユーザは本電子機器１００を使用し易くなる。
【００７１】
また、本実施の形態では、電子機器１００が右側に傾けられた状態で振られると、集合リンクが表示画面１０ａの右端に寄せられて表示される一方で、電子機器１００が左側に傾けられた状態で振られると、集合リンクが表示画面１０ａの左端に寄せられて表示される。したがって、電子機器１００を右手に持ったユーザは、当該電子機器１００を右側に傾けて振ることによって、その右手でリンク２００ａを選択し易くなり、電子機器１００を左手に持ったユーザは、当該電子機器１００を左側に傾けて振ることによって、その左手でリンク２００ａを選択し易くなる。よって、右利きのユーザでも左利きのユーザでもリンク２００ａを選択し易い電子機器１００を提供できる。
【００７２】
＜変形例＞
次に上述の実施の形態の各種変形例について説明する。
【００７３】
ａ．リンク集合表示に関する変形例
ａ−１．第１の変形例
電子機器１００においては、当該電子機器１００が一方向に強く振られる回数が大きくなるほど、集合リンク表示領域４００での複数のリンク２００ａの密集度、つまり集合リンクの密集度を大きくしても良い。例えば、図１３に示されるように、電子機器１００が下に向かって強く３回以上振られた場合に、集合リンクの密集度が一番大きくなるようにする。そして、電子機器１００が下に向かって強く２回振られた場合には、図１４に示されるように、電子機器１００が３回以上振られた場合よりも集合リンクの密集度を小さくする。そして、電子機器１００が下に向かって１回だけしか振られなかった場合には、図１５に示されるように、電子機器１００が２回振られた場合よりも集合リンクの密集度を小さくする。
【００７４】
ａ−２．第２の変形例
電子機器１００においては、当該電子機器１００が一方向に強く１回振られるごとに、ウェブページ２００に含まれる複数のリンク２００ａのそれぞれが、集合リンク表示領域４００において最終的に表示される位置に近づいていくような表示を行うことによって、電子機器１００が振られている間に、ウェブページ２００に含まれる複数のリンク２００ａが徐々に集まっていくように見える表示を行っても良い。
【００７５】
例えば、電子機器１００が下に向かって強く３回振られた場合に、ウェブページ２００に含まれる複数のリンク２００ａの移動が完了して当該複数のリンク２００ａが上述の図１３のように集合リンク表示領域４００に表示される場合を考える。この場合には、電子機器１００が下に向かって強く１回振られると、図１６に示されるように、当該複数のリンク２００ａのそれぞれが、集合リンク表示領域４００内での最終的に表示される位置に少し近づく。そして、電子機器１００がさらに下に向かって強く１回振られると、図１７に示されるように、当該複数のリンク２００ａのそれぞれが、集合リンク表示領域４００内での最終的に表示される位置にさらに近づく。そして、電子機器１００がさらに下に向かって強く１回振られると、当該複数のリンク２００ａのそれぞれが、集合リンク表示領域４００内での最終的な位置に表示され、図１３のように当該複数のリンク２００ａが集まって表示される。
【００７６】
ａ−３．第３の変形例
電子機器１００においては、ウェブページ２００に含まれるリンク２００ａのサイズが大きい場合には、縮小して、あるいは一部だけを切り出して集合リンク表示領域４００に表示しても良い。図１８は、ビットマップ形式等の図形で示されたリンク２００ａを縮小して集合リンク表示領域４００に表示する様子を示す図である。図１８の例では、車の図形で示されたリンク２００ａが縮小して集合リンク表示領域４００に表示されている。図１９は、図形で示されたリンク２００ａの一部を切り出して集合リンク表示領域４００に表示する様子を示す図である。図１９の例では、車の図形で示されたリンク２００ａの一部が切り出されて集合リンク表示領域４００に表示されている。図２０は、長い文字列で示されたリンク２００ａの一部を切り出して集合リンク表示領域４００に表示する様子を示す図である。図２０の例では、文字列「大ヒット商品はこれだ！」で示されたリンク２００ａの一部である「大ヒット」が切り出されて集合リンク表示領域４００に表示されている。
【００７７】
このように、ウェブページ２００に含まれるリンク２００ａを縮小して、あるいはその一部だけを切り出して集合リンク表示領域４００に表示することによって、集合リンク表示領域４００を小さくすることができる。
【００７８】
ａ−４．第４の変形例
上記の実施の形態では、集合リンクは、ウェブページ２００よりも表示濃度が低くなるように表示されていたが、図２１に示されるように、集合リンクは、ウェブページ２００よりも表示濃度が高くなるように表示しても良い。図２１では、ウェブページ２００に示される文字等を細線で示し、集合リンクを太線で示すことによって、集合リンクが、ウェブページ２００よりも表示濃度が高くなるように表示されていることを表現している。
【００７９】
また、電子機器１００においては、ウェブページ２００及び集合リンクのうちウェブページ２００に対する操作だけを受け付ける第１操作モードと、ウェブページ２００及び集合リンクのうち集合リンクに対する操作だけを受け付ける第２操作モードとを切り替えることができるようにしても良い。
【００８０】
例えば、第１操作モードである電子機器１００において、ユーザが集合リンク表示領域４００のリンク表示領域をタップすると、電子機器１００では、第１操作モードから第２操作モードに切り替わる。また、第２操作モードである電子機器１００において、ユーザがウェブ表示領域４５０をタップすると、電子機器１００では、第２操作モードから第１操作モードに切り替わる。電子機器１００においては、操作検出部１４０が集合リンク表示領域４００の各リンク表示領域に対する操作を無視すれば第１操作モードとなり、操作検出部１４０がウェブ表示領域４５０に対する操作を無視すれば第２操作モードとなる。
【００８１】
このように、電子機器１００が、ウェブページ２００に対する操作だけを受け付ける第１操作モードと、集合リンクに対する操作だけを受け付ける第２操作モードとを切り替えて動作する場合には、電子機器１００が第１操作モードの際には、図５に示されるように、集合リンクよりも表示濃度が高くなるようにウェブページ２００を表示し、電子機器１００が第２操作モードの際には、図２１に示されるように、ウェブページ２００よりも表示濃度が高くなるように集合リンクを表示する。これにより、ユーザは、電子機器１００の現在のモードが第１操作モードであるのか、第２操作モードであるのかを容易に特定することができる。集合リンクの方がウェブページ２００よりも表示濃度が低くなるように集合リンク及びウェブページ２００を表示する場合には、ウェブページ２００のうち集合リンクと重なる部分については、集合リンクから透けて見えるように表示しても良い。
【００８２】
ｂ．集合表示指示操作に関する変形例
ｂ−１．第１の変形例
上記の実施の形態では、電子機器１００が右側に傾けられた状態で振られる第１の集合表示指示操作と、電子機器１００が左側に傾けられた状態で振られる第２の集合表示指示操作とを定めていたが、電子機器１００が傾いているかどうかを問わず、単に電子機器１００が振られる操作を集合表示指示操作としても良い。この場合には、電子機器１００が特定方向（例えば下方向）に強く振られた場合にだけリンク集合表示を行っても良いし、特定方向に強く振られたかどうかを問わず単に振られるだけで、リンク集合表示を行っても良い。このように電子機器１００が振られる操作を集合表示指示操作とする場合には、電子機器１００の傾き方向は検出しないことになることから、上記の実施の形態のように、電子機器１００の傾き方向で集合リンクの表示位置を変更することはできない。したがって、この場合には、集合リンクは予め定められた固定位置に表示されることになる。
【００８３】
ｂ−２．第２の変形例
電子機器１００においては、表示画面１０ａが押されていない状態で電子機器１００が振られる操作（振られる方向は問わない）を第１の集合表示指示操作とし、表示画面１０ａが押された状態で電子機器１００が振られる操作（振られる方向は問わない）を第２の集合表示指示操作としても良い。
【００８４】
この場合には、操作検出部１４０が第１の集合表示指示操作を検出すると、ウェブページ２００に含まれる複数のリンク２００ａは、表示画面１０ａにおける、予め定められた領域に集められて表示される。例えば、当該複数のリンク２００ａは、表示画面１０ａにおいて、上下方向及び左右方向の中央部（表示画面１０ａの中心付近）に集められて表示される。
【００８５】
一方で、操作検出部１４０が第２の集合表示指示操作を検出すると、ウェブページ２００に含まれる複数のリンク２００ａは、表示画面１０ａにおいて、押された箇所に集められて表示される。つまり、集合リンク表示領域４００が、表示画面１０ａにおいて押された箇所を含む部分領域となる。図２２は、操作検出部１４０が第２の集合表示指示操作を検出した際のリンク集合表示を示している。図２２に示されるように、ウェブページ２００に含まれる複数のリンク２００ａは、表示画面１０ａにおいて、指８００で押された箇所に集められて表示される。
【００８６】
このように、ウェブページ２００に含まれる複数のリンク２００ａを、表示画面１０ａにおいて押された箇所に集めて表示することによって、ユーザは当該複数のリンク２００ａを表示画面１０ａにおける所望の場所に集めて表示することができる。よって、ユーザは、自分の意思によって、自分が操作し易い場所にリンク２００ａを配置することができる。
【００８７】
ｂ−３．第３の変形例
電子機器１００においては、当該電子機器１００が振られている状態か否かを問わず、表示画面１０ａが所定時間以上押される操作（いわゆる「長押し」）を集合表示指示操作としても良い。この場合には、操作検出部１４０が集合表示指示操作を検出すると、ウェブページ２００に含まれる複数のリンク２００ａは、上述の図２２に示される表示例と同様に、表示画面１０ａにおいて、押された箇所に集められて表示される。このような場合であっても、ユーザは、ウェブページ２００に含まれる複数のリンク２００ａを、自分の意思によって、自分が操作し易い場所に集めて表示することができる。
【００８８】
ｂ−４．第４の変形例
電子機器１００においては、当該電子機器１００が振られている状態か否かを問わず、表示画面１０ａに対して指が触れた状態で移動する操作を集合表示指示操作としても良い。この場合には、操作検出部１４０が集合表示指示操作を検出すると、ウェブページ２００に含まれる複数のリンク２００ａは、表示画面１０ａにおいて、指の移動が終了した箇所に集められて表示される。つまり、集合リンク表示領域４００が、表示画面１０ａにおいて指の移動が終了した箇所を含む部分領域となる。図２３は、本例におけるリンク集合表示を示している。このような場合であっても、ユーザは、ウェブページ２００に含まれる複数のリンク２００ａを、自分の意思によって、自分が操作し易い場所に集めて表示することができる。
【００８９】
ｂ−５．第５の変形例
電子機器１００においては、表示画面１０ａにメニュー画面を表示し、このメニュー画面に含まれる、リンク集合表示を行うことを設定するための操作ボタンに対する操作を集合表示指示操作としても良い。図２４は表示画面１０ａにメニュー画面５００が表示されている様子の一例を示す図である。メニュー画面５００は、ウェブページ２００が表示されている表示画面１０ａの下端部に示される上述の操作ボタン３００がタップされると、表示画面１０ａに表示されるようになっている。
【００９０】
図２４に示されるように、メニュー画面５００には複数の操作ボタン５１０〜５１３が含まれている。メニュー画面５００を表示する表示画面１０ａの下端部には、ウェブページ２００を表示する画面に戻るための操作ボタン６００が示されている。複数の操作ボタン５１０〜５１３のうち、リンク集合表示を行うことを設定するための操作ボタン５１３がタップされると、表示画面１０ａには図２５のようなサブメニュー画面７００が表示される。
【００９１】
図２５に示されるサブメニュー画面７００には、ウェブページ２００に含まれる複数のリンク２００ａを表示画面１０ａの右端に寄せて表示するための操作ボタン７１０と、表示画面１０ａの左端に寄せて表示するための操作ボタン７２０とが示されている。またサブメニュー画面７００の下方には、ウェブページ２００を表示する画面に戻すための上述の操作ボタン６００と、表示画面１０ａの表示を現在の表示よりも一つの前の表示に戻すための操作ボタン６１０とが表示されている。
【００９２】
操作ボタン７１０がタップされると、表示画面１０ａは、ウェブページ２００を表示する画面に戻り、上述の図５に示されるように、ウェブページ２００に含まれる複数のリンク２００ａは集められて表示画面１０ａの右端に寄せられて表示される。
【００９３】
一方で、操作ボタン７２０がタップされると、表示画面１０ａは、ウェブページ２００を表示する画面に戻り、上述の図７に示されるように、ウェブページ２００に含まれる複数のリンク２００ａは集められて表示画面１０ａの左端に寄せられて表示される。
【００９４】
このように、電子機器１００においては、メニュー画面５００を利用してリンク集合表示を行えるようにしても良い。なお、メニュー画面５００の操作ボタン５１３が操作されると、図２５のような表示を行わずに、表示画面１０ａは、ウェブページ２００を表示する画面に戻り、ウェブページ２００に含まれる複数のリンク２００ａを、表示画面１０ａにおける、予め定められた固定領域に集めて表示しても良い。
【００９５】
ｃ．リンク集合表示の解除に関する変形例
ｃ−１．第１の変形例
上記の実施の形態では、リンク２００ａが選択されると、当該リンク２００ａが示すウェブページ２００は通常表示されている。つまり、選択されたリンク２００ａが示すウェブページ２００が表示されると、リンク集合表示が解除されている。ここでは、リンク集合表示を行う際に電子機器１００が強く振られた方向とは逆の方向に電子機器１００を強く振ることによって、リンク集合表示を解除する場合について説明する。
【００９６】
第１の集合指示操作が操作検出部１４０で検出されて、ウェブページ２００に含まれる複数のリンク２００ａが、図５に示されるように、表示画面１０ａの右端に寄せられた表示されている場合において、電子機器１００が右側に傾けられた状態で上に向かって強く振られる操作を操作検出部１４０が検出すると、表示部１０はリンク集合表示を解除して、ウェブページ２００を通常表示する。なお、電子機器１００が傾けられているか問わず、電子機器１００が上に向かって強く振られると、リンク集合表示を解除しても良い。
【００９７】
また、第２の集合指示操作が操作検出部１４０で検出されて、ウェブページ２００に含まれる複数のリンク２００ａが、図７に示されるように、表示画面１０ａの左端に寄せられて表示されている場合において、電子機器１００が左側に傾けられた状態で上に向かって強く振られる操作が操作検出部１４０が検出すると、表示部１０はリンク集合表示を解除して、ウェブページ２００を通常表示する。なお、ウェブページ２００に含まれる複数のリンク２００ａが、表示画面１０ａの左端に寄せられて表示されている場合であっても、電子機器１００が傾けられているか問わず、電子機器１００が上に向かって強く振られるとリンク集合表示を解除しても良い。
【００９８】
このように、電子機器１００においては、リンク集合表示を行う際に電子機器１００が強く振られた方向とは逆の方向に電子機器１００を強く振ることによって、リンク集合表示を解除しても良い。この場合には、リンク集合表示を行うための操作と、リンク集合表示を解除するための操作とが対となることから、ユーザは本電子機器１００が使用し易くなる。
【００９９】
ｃ−２．第２の変形例
リンク集合表示の解除については、表示画面１０ａでのウェブページ２００の表示がスクロールした際に行ってもよい。上述のように、集合リンク表示領域４００に対する上方向あるいは下方向のフリックが操作検出部１４０で検出されると、ウェブページ２００の表示がスクロールすることから、このときに表示部１０はリンク集合表示を解除する。また、ウェブ表示領域４５０のうち、集合リンク表示領域４００以外の領域に対する上方向あるいは下方向のフリックが操作検出部１４０で検出された場合であっても、ウェブページ２００の表示がスクロールすることから、このときにも表示部１０はリンク集合表示を解除する。
【０１００】
ｃ−３．第３の変形例
リンク集合表示の解除については、図２６に示されるように、表示画面１０ａに対して指８００が接触した状態で集合リンク表示領域４００からその外側に移動する操作が操作検出部１４０で検出された場合に行ってもよい。
【０１０１】
ｃ−４．第４の変形例
リンク集合表示の解除については、メニュー画面５００を利用して行ってもよい。図２７は、メニュー画面５００を利用してリンク集合表示を解除する際の当該メニュー画面５００を示す図である。表示部１０がリンク集合表示を行っている際に、表示画面１０ａの下端部に示される上述の操作ボタン３００がタップされると、図２７に示されるようなメニュー画面５００が示される。このメニュー画面５００では、上述の図２４に示されるメニュー画面５００において、操作ボタン５１３の替わりに、リンク集合表示を解除するための操作ボタン５１４が示されている。操作ボタン５１４に対するタップが操作検出部１４０で検出されると、表示画面１０ａは、ウェブページ２００を表示する画面に戻り、リンク集合表示が解除されて、図４等に示されるようにウェブページ２００が通常表示される。
【０１０２】
ｄ．リンクが示すウェブページの表示に関する変形例
ｄ−１．第１の変形例
上記の実施の形態では、リンク２００ａが選択されると、当該リンク２００ａが示すウェブページ２００は通常表示されているが、その代わりに、当該リンク２００ａが示すウェブページ２００に含まれる複数のリンク２００ａを集めて表示しても良い。つまり、選択されたリンク２００ａが示すウェブページ２００を表示するとともに、当該ウェブページ２００についてのリンク集合表示を行っても良い。これにより、ユーザは、選択したリンク２００ａが示すウェブページ２００が表示された際に、そのウェブページ２００についてのリンク集合表示を行うために集合指示操作を電子機器１００に行う必要がない。
【０１０３】
ｄ−２．第２の変形例
図２８〜３３は本変形例に係る電子機器１００を説明するための図である。本変形例に係る電子機器１００では、集合表示指示操作が検出されてリンク集合表示が行われた際のウェブページ２００が初期ページ２００とされて、当該初期ページ２００の替わりに他のウェブページ２００が表示される際には、初期ページ２００を示すリンク２００ａと、初期ページ２００に含まれるリンク２００ａとが表示されるようになっている。これにより、ユーザは簡単に初期ページ２００を表示することが可能になる。また、ユーザは初期ページ２００に含まれるリンク２００ａが示すウェブページ２００を簡単に表示することが可能になる。以下に本変形例について詳細に説明する。
【０１０４】
図２８に示されるようなウェブページ２００が表示画面１０ａに表示されている場合において、操作検出部１４０が集合表示指示操作（例えば実施の形態で説明した第１の集合表示指示操作）を検出すると、表示制御部１３０は、当該ウェブページ２００を初期ページ２００に設定するとともに、図２９に示されるように表示部１０に当該ウェブページ２００についてのリンク集合表示を実行させる。
【０１０５】
その後、集合リンクにおいて、例えば“スポーツ”で示されたリンク２００ａが選択されると、図３０に示されるように、表示部１０は、選択されたリンク２００ａが示すウェブページ２００を表示画面１０ａに表示する。このとき、表示画面１０ａには、初期ページ２００を示すリンク２００ａｂ（以後、「初期ページリンク２００ａｂ」と呼ぶことがある）と、初期ページ２００と一緒に表示されていた集合リンク（以後、「初期集合リンク２００ａｃ」と呼ぶことがある）とが並べられて、表示画面１０ａの右端に寄せられて表示される。図３０の例では、初期ページリンク２００ａｂが初期集合リンク２００ａｃの上に表示されている。また図３０の例では、ユーザが、初期ページリンク２００ａｂを特定し易いように、初期ページリンク２００ａｂの先頭部分には、識別記号としての“※”が示されている。
【０１０６】
次に、例えば、初期集合リンク２００ａｃのうち“社会”で示されたリンク２００ａが選択されると、図３１に示されるように、表示部１０は、選択されたリンク２００ａが示すウェブページ２００を表示画面１０ａに表示する。このときにも、表示画面１０ａには、初期ページリンク２００ａｂと初期集合リンク２００ａｃとが並べられて表示される。
【０１０７】
また、図３０の表示において、例えば“野球”で示されたリンク２００ａが選択されると、図３２に示されるように、表示画面１０ａには、選択されたリンク２００ａが示すウェブページ２００が表示される。このときにも、表示画面１０ａには、初期ページリンク２００ａｂと初期集合リンク２００ａｃとが並べられて表示される。
【０１０８】
一方で、表示画面１０ａに、初期ページ２００以外のウェブページ２００が表示されている場合において、操作検出部１４０が集合表示指示操作を検出すると、表示部１０は、初期ページリンク２００ａｂ及び初期集合リンク２００ａｃの表示を解除して、現在表示されているウェブページ２００に含まれる複数のリンク２００ａを集めて表示する。例えば、表示画面１０ａの表示が図３０のような場合に、操作検出部１４０が第１の集合表示指示操作を検出すると、図３３に示されるように、表示画面１０ａでは、初期ページリンク２００ａｂ及び初期集合リンク２００ａｃの表示が解除され、現在表示されているウェブページ２００についてのリンク集合表示が行われる。そして、このウェブページ２００が新たな初期ページ２００に設定される。以後、電子機器１００は同様に動作する。
【０１０９】
なお上記の例では、初期ページリンク２００ａｂ及び初期集合リンク２００ａｃの両方を表示していたが、初期ページリンク２００ａｂ及び初期集合リンク２００ａｃのどちらか一方だけを表示しても良い。
【０１１０】
また、図３４に示されるように、初期ページリンク２００ａｂと初期集合リンク２００ａｃとをある程度離して表示することによって、ユーザは初期ページリンク２００ａｂを特定し易くなる。図３４では、初期ページリンク２００ａｂを表示画面１０ａの左端に寄せて表示し、初期集合リンク２００ａｃを表示画面１０ａの右端に寄せて表示している。この場合には、初期ページリンク２００ａｂを特定するための識別記号は表示しなくても良い。
【０１１１】
また、上記の例のように、初期ページリンク２００ａｂが常に初期集合リンク２００ａｃの上側に表示されるようにすれば、そのことを認識しているユーザは初期ページリンク２００ａｂを特定することはできることから、初期ページリンク２００ａｂを特定するための識別記号は表示しなくても良い。
【０１１２】
また、初期集合リンク２００ａｃを表示する際には、当該初期集合リンク２００ａｃに含まれる複数のリンク２００ａのうち、現在表示されているウェブページ２００を示すリンク２００ａについては表示しなくても良い。例えば、図３０の表示例において、初期集合リンク２００ａｃに含まれる、“スポーツ”で示されたリンク２００ａについては表示しなくても良い。
【０１１３】
このように、本変形例では、リンク集合表示が行われた初期ページ２００を示すリンク（初期ページリンク）２００ａｂが、初期ページ２００の替わりに他のウェブページ２００が表示される際、つまり初期ページ２００が表示されなくなった以降において表示されるため、ユーザは初期ページ２００の再表示を容易に行うことができる。初期ページ２００を、例えば、ニュース一覧が示されたウェブページ２００に設定すると、ユーザは、個別のニュースを見た後に、すぐにニュース一覧を表示させることができる。また、初期ページ２００を、検索結果一覧が示されたウェブページ（検索結果ページ）２００に設定すると、ユーザは、検索結果一覧に示される個別のウェブページを見た後に、すぐに検索結果一覧を表示させることができる。
【０１１４】
また、初期ページ２００の替わりに他のウェブページ２００が表示される際に、初期ページ２００のリンク２００ａを表示することによって、初期ページ２００が表示されなくなった以降においても、ユーザは初期ページ２００に含まれていたリンク２００ａを容易に選択することができる。初期ページ２００を、例えば、ニュース一覧が示されたウェブページ２００に設定すると、ユーザは、あるニュースを見た後に、すぐに別のニュースを見ることができる。また、初期ページ２００を、検索結果一覧が示されたウェブページ２００に設定すると、ユーザは、検索結果一覧に含まれるあるウェブページを見た後に、検索結果一覧に含まれる別のウェブページをすぐに見ることができる。
【０１１５】
また、図３０等に示されるように、リンク集合表示と同様に、初期集合リンク２００ａｃに含まれる複数のリンク２００ａをまとめて所定領域に表示することによって、ユーザは初期集合リンク２００ａｃに含まれる各リンク２００ａを選択し易くなる。
【０１１６】
また、初期ページリンク２００ａｂと初期集合リンク２００ａｃとをまとめて所定領域に表示することによって、ユーザは初期ページリンク２００ａｂ及び初期集合リンクを選択し易くなる。
【０１１７】
以上の実施の形態及びその変形例においては、１つの表示画面を有する携帯電話機に本願発明を適用する場合について説明したが、本願発明は２つの表示画面を有する携帯電話機にも適用することができる。例えば、タッチパネル機能を有する第１表示部を備える上側筐体が、タッチパネル機能を有する第２表示部を備える下側筐体上をスライドすることが可能なスライド式携帯電話機に対して、本願発明を適用することができる。この場合には、第１表示部がウェブページを表示し、かつ上側筐体と下側筐体とが重ね合わされて第２表示部が視認できない状態から、上側筐体がスライドして第２表示部が視認できる状態に変化したときに、第１表示部が表示しているウェブページに含まれる複数のリンクを集めて第２表示部に表示しても良い。また、第１表示部がウェブページを表示し、かつ上側筐体と下側筐体とが重ね合わされて第２表示部が視認できない状態から、上側筐体がスライドして第２表示部が視認できる状態に変化したときに、第１及び第２表示部の両方を使用して当該ウェブページを表示するとともに、当該ウェブページに含まれる複数のリンクを集めて第１表示部及び第２表示部のどちらかに表示しても良い。この際には、集められた複数のリンク（集合リンク）はウェブページに重ねられて表示される。
【０１１８】
また、以上の実施の形態及びその変形例においては、本願発明を携帯電話機に適用する場合について説明したが、本願発明は、携帯電話機以外の他の携帯型電子機器に適用することができる。例えば、本願発明はＰＤＡにも適用することができる。
【符号の説明】
【０１１９】
１０  表示部
１０ａ  表示画面
１００  携帯型電子機器
１４０  操作検出部
２００  ウェブサイト
２００ａ  リンク
２００ａｂ  初期ページリンク
４００  集合リンク表示領域
【図１】
0005670137.tif 000002
【図２】
0005670137.tif 000003
【図３】
0005670137.tif 000004
【図４】
0005670137.tif 000005
【図５】
0005670137.tif 000006
【図６】
0005670137.tif 000007
【図７】
0005670137.tif 000008
【図８】
0005670137.tif 000009
【図９】
0005670137.tif 000010
【図１０】
0005670137.tif 000011
【図１１】
0005670137.tif 000012
【図１２】
0005670137.tif 000013
【図１３】
0005670137.tif 000014
【図１４】
0005670137.tif 000015
【図１５】
0005670137.tif 000016
【図１６】
0005670137.tif 000017
【図１７】
0005670137.tif 000018
【図１８】
0005670137.tif 000019
【図１９】
0005670137.tif 000020
【図２０】
0005670137.tif 000021
【図２１】
0005670137.tif 000022
【図２２】
0005670137.tif 000023
【図２３】
0005670137.tif 000024
【図２４】
0005670137.tif 000025
【図２５】
0005670137.tif 000026
【図２６】
0005670137.tif 000027
【図２７】
0005670137.tif 000028
【図２８】
0005670137.tif 000029
【図２９】
0005670137.tif 000030
【図３０】
0005670137.tif 000031
【図３１】
0005670137.tif 000032
【図３２】
0005670137.tif 000033
【図３３】
0005670137.tif 000034
【図３４】
0005670137.tif 000035